(57)【要約】【課題】同じ機器で入退出管理と侵入監視とを切り替え運用可能とし、効率的にかかる管理と監視とを行なうことができるようにする。【解決手段】端末装置１は、入退出管理や侵入監視が必要なエリア内の所定の場所に設置される。制御部１５がメモリ１７からＲＦＩＤ通信ソフトウェア１８を取得すると、ソフトウェア無線機１３を管理領域内での入退出が許可された者のＲＦＩＤと通信可能し、そのＩＤコードを読み取って入室を許可し、退室を検出する入退出管理モードが端末装置１に設定され、また、制御部１５がメモリ１７から侵入検知ソフトウェア１９を取得すると、ソフトウェア無線機１３でセンサ信号を送出して侵入監視領域内での侵入者からの反射センサ信号を受信可能にし、侵入者を検出する侵入監視モードが端末装置１に設定される。【選択図】図１
2009059085.tif 000002
【特許請求の範囲】
【請求項１】
入退出管理のための第１のソフトウェアと侵入監視のための第２のソフトウェアとが切り替え設定可能な端末装置がエリアの所定の位置に設置され、
該第１のソフトウェアが設定されたときには、該端末装置が入室許可者のＲＦＩＤと通信を行なうことにより、該入室許可者の該エリアへの入室を許可し、
該第２のソフトウェアが設定されたときには、該端末装置がセンサ信号を用いて侵入者の検出を行なう
ことを特徴とするセキュリティシステム。
【発明の詳細な説明】
【技術分野】
【０００１】
本発明は、部屋などのエリアでの入退出管理や侵入監視を行なうためのセキュリティシステムに関する。
【背景技術】
【０００２】
セキュリティが要求される特定の部屋や建物などエリアに対し、許可された特定の利用者に対してのみこのエリアでの入退出を許可するようにした入退出管理システムや、このようなセキュリティが要求されるエリアへの不審者の侵入を検出し、警報を発するようにした侵入監視システムが提案されている。
【０００３】
かかる入退出管理システムとしては、一例として、セキュリティが要求されるエリアでの入退出が許可された利用者（入退出許可者）に割り当てられたキーカードとの通信が可能なリーダライタ部をこのエリアの出入口に設け、入退出許可者がこのキーカードをリーダライタ部にかざすと、このキーカードとリーダライタ部との間でデータの授受が行なわれ、これによって入退出許可者が入退出しようとしているものと判定されて、この出入口のドアが開錠されるようにした技術が提案されている（例えば、特許文献１参照）。
【０００４】
また、侵入監視システムとしては、その一例として、セキュリティが要求されるエリア内にセンサユニットが設けられ、このセンサユニットからエリア内に超音波を送信して、侵入者からの反射波があると、これを検出して所定の処理をすることにより、侵入者があることを検出し、検知信号を発生して警報などを発するようにした技術が提案されている（例えば、特許文献２参照）。
【特許文献１】特開２０００ー１３２７２２号公報
【特許文献２】特開２００１ー２２９４７１号公報
【発明の開示】
【発明が解決しようとする課題】
【０００５】
ところで、上記のような入退出管理システムや侵入監視システムを用いて入退出管理と侵入監視とを行なうようにすると、夫々のシステムを使用することになる。この場合のセキュリティシステムを図５で説明すると、セキュリティが要求されるエリアとしての部屋１０２内のドア１０３の近くに入退出管理用の端末装置１００ａが、この部屋１０２の外側の通路１０４でのドア１０３の近くに入退出管理用の端末装置１００ｂが夫々設けられ、部屋１０２内の天井などに侵入監視用の検知センサ１０１ａが、部屋１０２の外の通路１０４の天井などに侵入監視用の検知センサ１０１ｂが夫々設けられる。
【０００６】
入退出管理システムが稼働しているときに、入退出許可者が、この部屋１０２に入るために、そのキーカードを端末装置１００ｂにかざすと、このキーカードと端末装置１００ｂとの間で正常な通信が行なわれることにより、ドア１０３が開錠されて入室可能となり、また、部屋１０２内でキーカードを端末装置１００ａにかざすと、同様に、このキーカードと端末装置１００ａとの間で正常な通信が行なわれることにより、ドア１０３が開錠されて退出可能となる。また、侵入監視システムが稼働しているときに、不審者が通路１０４でこの部屋１０２のドア１０３に近づくと、これを検知センサ１０１ｂがこの不審者を侵入者として検知して警報を発し、不審者が部屋１０２に侵入すると、これを検知センサ１０１ａが検知して警報を発する。
【０００７】
ところで、このような入退出管理システムと侵入監視システムとは、一般に、同時に運用されることはまれであり、例えば、会社などの場合には、勤務時間帯では、入退出管理システムを稼働させて入退出許可者の部屋１０２での入退出を可能とし、この勤務時間帯を過ぎると、入退出管理システムを停止させて侵入監視システムを稼働させ、不審者の部屋１０２への侵入を防止するようにするものである。
【０００８】
このように、入退出管理と侵入監視とのために、夫々別々の設備を用い、しかも、これらを同時に使用する機会がほとんどないようなセキュリティシステムでは、設備に高コストを必要としながら、入退出管理システムと侵入監視システムとの一方を稼働させるときには、他方を停止させるといった無駄な使用の仕方となっており、また、設備場所の面でも、無駄が多いという問題がある。
【０００９】
本発明の目的は、かかる問題を解消し、同じ機器で入退出管理と侵入監視とを切り替え運用可能とし、効率的に入退出管理と侵入監視とを行なうことができるようにしたセキュリティシステムを提供することにある。
【課題を解決するための手段】
【００１０】
上記目的を達成するために、本発明は、入退出管理のための第１のソフトウェアと侵入監視のための第２のソフトウェアとが切り替え設定可能な端末装置がエリアの所定の位置に設置され、該第１のソフトウェアが設定されたときには、該端末装置が入室許可者のＲＦＩＤと通信を行なうことにより、該入室許可者の該エリアへの入室を許可し、該第２のソフトウェアが設定されたときには、該端末装置がセンサ信号を用いて侵入者の検出を行なうものである。
【発明の効果】
【００１１】
本発明によると、同じ端末装置でエリアへの入退出管理機能と侵入監視機能とを切り替えて運用可能となるので、セキュリティシステムでの設備の縮小を実現して効率的な入退出管理と侵入監視とを行なうことができる。
【発明を実施するための最良の形態】
【００１２】
以下、本発明の実施形態を図面を用いて説明する。
【００１３】
図１は本発明によるセキュリティシステムの一実施形態を概略的に示すシステム構成図であって、１1，１2，１3，……は端末装置、２はセンタ装置、３はネットワークである。
【００１４】
同図において、端末装置１1，１2，１3，……は夫々、図示しない建物内の部屋などの管理，監視を必要とするエリア内の所定の位置に設置されており、また、ネットワーク３を介してセンタ装置２に接続されている。これら端末装置１1，１2，１3，……は夫々、それが設置されている部屋の入退出管理や侵入監視に必要な情報をセンタ装置２から取得し、このセンタ装置２からの指令制御のもとに、この設置されている部屋の入退出管理や侵入監視を行なう。以下では、端末装置１1，１2，１3，……の入退出管理を行なう動作モードを入退出管理モードといい、侵入監視を行なう動作モードを侵入監視モードということにする。
【００１５】
図２は図１に示す端末装置の設置位置の一具体例を示す図であって、１ａ，１ｂは端末装置、４は部屋、５は通路、６はドアである。
【００１６】
同図において、部屋４内のドア６の近くに１つの端末装置１ａが設置されており、また、部屋４の外側、即ち、通路側のドア６の近くにもう１つの端末装置１ｂが設置されている。これら端末装置１ａ，１ｂは、センタ装置２（図１）からの指令に基づいて、入退出管理モードと侵入監視モードとの切り替えが行なわれる。即ち、一日のうちの所定の時間帯で部屋４の入退出室管理を行なう入退出管理モードに設定され、これ以外の時間帯では、この部屋４の侵入監視を行なう侵入監視モードに設定される。かかる所定の時間帯としては、例えば、この部屋４が会社である場合、予め決められた出勤時刻から最後の社員の退社時刻までの時間帯であり、図書館や博物館などの公共施設の場合には、開館前の所定時刻から閉館後の所定時刻までの時間帯である。
【００１７】
図３は入退出管理モードと侵入監視モードとでの各端末装置が管理，監視する領域を示す図であって、７ａ，７ｂは入退出管理領域、８は入室許可者、９はＲＦＩＤ、１０ａ，１０ｂは侵入管理領域、１１は窓、１２ａ，１２ｂは侵入者となる不審者であり、図２に対応する部分には同一符号をつけて重複する説明を省略する。
【００１８】
入退出管理モードの場合には、図３（ａ）に示すように、部屋４内に設置されている端末装置１ａがドア６の内側（部屋４内のドア６付近）の領域を入退出管理領域７ａとして管理し、部屋４の外側に設置されている端末装置１ｂがドア６の外側（部屋４の外側のドア６付近）の領域を入退出管理領域７ｂとして管理する。この入退出管理のモードでは、この部屋４への入室が許可された利用者（入室許可者）８が所有する割り当てのＲＦＩＤ９と端末装置１ａ，１ｂが通信したか否かを管理するものであって、ＲＦＩＤ９を所有してこの入室許可者８が入退出管理領域７ａ，７ｂ内に移動してくると、このＲＦＩＤ９と端末装置１ａ，１ｂとの間の通信が行なわれ、このことから、端末装置１ａ，１ｂが、ＲＦＩＤ９を所有する入室許可者８に対して、ドア６を開錠して開閉可能にする。
【００１９】
また、侵入監視モードの場合には、図３（ｂ）に示すように、部屋４内の端末装置１ａが部屋４の内部全体を不審者の監視可能な侵入監視領域１０ａとし、部屋４の外側の端末装置１ｂがドア６を囲む通路５の所定の広さの領域を不審者の監視可能な侵入監視領域１０ｂとする。この侵入監視モードでは、端末装置１ａ，１ｂからセンサ信号を放射し、これら侵入監視領域１０ａ，１０ｂ内に居る不審者１２ａ，１２ｂからのこのセンサ信号の反射信号をこれら端末装置１ａ，１ｂで受信検出することにより、侵入者の有無を検出するものである。侵入監視領域１０ａ，１０ｂは、端末装置１ａ，１ｂがかかる反射信号を検知可能な範囲であり、かかる侵入監視領域１０ａ，１０ｂの範囲外からの反射信号は、レベルが低すぎて端末装置１ａ，１ｂで受信することができない。また、端末装置１ａ，１ｂは、このようにして侵入者を検知すると、この部屋４内外に設置された警報装置（図示せず）を作動させて警報を発生させ、また、センタ装置２（図１）にアラーム通知をする。
【００２０】
図４は端末装置の構成の一具体例を示すブロック図であって、１は先の端末装置の総称、１３はソフトウェア無線機、１４は送受信アンテナ、１５は制御部、１６は通信ユニット、１７はメモリ、１８はＲＦＩＤ通信ソフトウェア、１９は侵入検知ソフトウェア、２０は入室許可ＩＤコードリスト、２１はログ（履歴情報）である。
【００２１】
同図において、端末装置１は、送受信アンテナ１４を備え、設定されるソフトウェアに応じて入退出管理モードと侵入監視モードとの動作モードが切り替え設定される。ここで、入退出管理モードでは、入退出管理領域７ａ，７ｂ内でＲＦＩＤ９と通信を行ない、侵入監視モードでは、侵入監視領域１０ａ，１０ｂ内での不審者の検知を行なうソフトウェア無線機１３と、センタ装置２（図１）との通信を行なうための通信ユニット１６と、各種情報が格納されたメモリ１７と、端末装置１の各部の制御を行なうＣＰＵなどからなる制御部１５などによって構成されている。
【００２２】
ここで、メモリ１７には、ソフトウェア無線機１３を入退出管理モードで動作させるためのＲＦＩＤ通信ソフトウェア１８と、ソフトウェア無線機１３を侵入監視モードで動作させるための侵入検知ソフトウェア１９と、部屋４（図２）への入室許可者が名義のＲＦＩＤ９に記録されているＩＤコードが全て登録されている入室許可ＩＤコードリスト２０と、入退出管理モードでの通信の結果やこれに関連する情報からなるＲＦＩＤ通信ログや侵入監視モードでの検知結果やそれに関連した情報からなる侵入検知ログなどのログ（履歴情報）２１とが記録されている。ＲＦＩＤ通信ソフトウェア１８や侵入検知ソフトウェア１９，入室許可ＩＤコードリスト２０はセンタ装置２（図１）からダウンロードされたものであり、また、ログ２１でのＲＦＩＤ通信ログや侵入検知ログは、通信ユニット１６を介してセンタ装置２に送信することができるものである。
【００２３】
次に、以上の図１〜図４を用いて、この実施形態の動作について説明する。
【００２４】
図２に示すように、端末装置１を、端末装置１ａとして、部屋４内のドア６の近くに設置し、また、端末装置１ｂとして、部屋４の外側のドア６の近くに設置するようにして、所定の場所に設置するが、かかる設置が行なわれると、まず、通信ユニット１６により、センタ装置２からネットワーク３を介してＲＦＩＤ通信ソフトウェア１８と侵入検知ソフトウェア１９とをダウンロードされて、メモリ１７に格納される。また、部屋４への入室が許可された入室許可者８に割り当てられたＲＦＩＤ９に登録されているＩＤコードのリスト（入室許可ＩＤコードリスト）２０も、同様に、ダウンロードされてメモリ１７に格納される。これにより、端末装置１は、入退出管理モードと侵入監視モードとの切り替え設定が可能となる。
【００２５】
なお、かかる入室許可ＩＤコードリスト２０は、入室許可者８が変更される毎に、オペレータの更新操作によって更新される。そして、この更新が行なわれる毎に、この入室許可ＩＤコードリスト２０が、上記のようにして、端末装置１にダウンロードされ、メモリ１７で更新される。
【００２６】
また、この入室許可ＩＤコードリスト２０は、センタ装置２で画面表示、あるいはプリントアウトすることができ、これにより、オペレータなどがこれを確認することができる。
【００２７】
センタ装置２には、端末装置１の監視スケジュールが登録されており、この監視スケジュールによるセンタ装置２からの動作の制御命令により、端末装置１が入退出管理モードと侵入監視モードとの切り替え設定などの動作を実行する。なお、この監視スケジュールは、例えば、曜日などの所定期間毎に異ならせてもよいし、また、一定のものとしてもよい。この制御命令も、ネットワーク３を介して通信ユニット１６で受信される。
【００２８】
そこで、上記の所定時間帯が始まると、監視スケジュールに基づいてセンタ装置２が制御命令を送り、この制御命令により、制御部１５はメモリ１７からＲＦＩＤ通信ソフトウェア１８を読み取り、このＲＦＩＤ通信ソフトウェア１８を実行してソフトウェア無線機１３を起動させる。これにより、この端末装置１は、その動作モードが入退出管理モードに設定される。また、この所定時間帯が終了すると、監視スケジュールに基づいてセンタ装置２が制御命令を送り、この制御命令により、制御部１５はメモリ１７から侵入検知ソフトウェア１９を読み取り、この侵入検知ソフトウェア１９を実行してソフトウェア無線機１３を起動させる。これにより、この端末装置１は、その動作モードが侵入監視モードに設定される。このようにして、端末装置１の動作モードの切り替えが自動的に行なわれる。
【００２９】
なお、センタ装置２では、各端末装置１の動作モードをリストやマップで表示できるようにしており、これにより、各端末機１の動作モードを確認することができるし、また、かかるリスト表示やマップ表示で端末装置を選択することにより、選択された端末装置１のログ２１などの詳細情報の確認やこの端末装置１の各種の制御を行なうことができる。
【００３０】
以下、図１，図３（ａ），図４を用い、入退出管理モードについて説明する。
【００３１】
端末操作１で入退出管理モードが設定されると、制御部１５は、ＲＦＩＤ通信ソフトウェア１８により、送受信アンテナ１４の指向性を制御し、これにより、図３（ａ）に示すように、部屋４内のドア６の近くに設置されている端末装置１ａは、ドア６の内側の領域を入退出管理領域７ａとして管理を行ない、部屋４外のドア６の近くに設置されている端末装置１ｂは、ドア６の外側の領域を入退出管理領域７ｂとして管理を行なう。
【００３２】
これにより、割り当てられたＲＦＩＤ９を所持する利用者８が通路５を歩いてきてドア６に接近し、このＲＦＩＤ９が入退出管理領域７ｂ内に入ると、端末装置１ｂがこのＲＦＩＤ９と通信を行なう。これにより、このＲＦＩＤ９からのＩＤコードが送受信アンテナ１４からソフトウェア無線機１３で受信される。制御部１５は、この受信されたＩＤコードとメモリ１７での入室許可ＩＤリスト２０でのＩＤコードとを照合し、これらが一致したときには、ドア６に接近した利用者８をこの部屋４の入室許可者と判定し、ドア６を開錠する。これにより、この入室許可者８はドア６を開けることができる。この場合のＩＤコードや照合結果，時刻などの関連情報が、ログ２１として、メモリ１７に記録され、また、通信ユニット１６からネットワーク３を介して、これらにこの部屋４に割り当てられているコード（部屋コード）や端末装置１ｂに割り当てられたコード（端末コード）が付加されてセンタ装置２に送られ、そこで管理される。
【００３３】
なお、端末装置１ｂで受信したＩＤコードがメモリ１７の入室許可ＩＤコードリスト２０のいずれのＩＤコードとも一致しない場合には、制御部１５はドア６を開錠せず、かつ通信ユニット１６からネットワーク３を介してセンタ装置２にアラーム通知をする。
【００３４】
この入室許可者８がドア６を開けて部屋４内に入ると、この入室許可者８が所有するＲＦＩＤ９が部屋４内の端末装置１ａの入退出管理領域７ａ内に入る。これにより、端末装置１ａとこのＲＦＩＤ９との通信が可能となり、同様にして、このＲＦＩＤ９のＩＤコードが端末装置１ａに受信される。端末装置１ａでは、制御部１５がこのＩＤコードに部屋コードや端末装置１ａの端末コードなどの情報を付加し、通信ユニット１６からネットワーク３を介してセンタ装置２に送信する。
【００３５】
センタ装置２では、これら端末装置１ｂ，１ａからのＩＤコードや部屋コード，端末コードなどを受信し、これらＩＤコードが同じであること、及び端末コードをもとにそれらのＩＤコードの受信順序が端末装置１ｂ，１ａの順序であることなどから、このＩＤコードが記録されているＲＦＩＤ９を所持する入室許可者８がこの部屋コードの部屋４へ入室したものと判定し、その入室通知とこのＩＤコードとをネットワーク３を介して該当する部屋コードの部屋４の端末装置１ａ，１ｂに送信する。また、ドア６が閉じられた場合、または、ドア６が一定時間開かれなかった場合、ドア６は自動的に施錠される。
【００３６】
また、センタ装置２では、各部屋の現在の入室者のリストが作成されるが、端末装置１ｂ，１ａからのＩＤコードをもとに入室者があったことが判定されると、この該当する部屋４での入室者のリストが更新される。また、センタ装置２では、部屋内に設置された端末装置１ａ毎の現在の入室者数がリストまたはマップで表示され、これにより、現在の各部屋での入室者数を確認することができる。
【００３７】
さらに、端末装置１ａ，１ｂでは、その制御部１５がセンタ装置２からＩＤコードと入室通知とを通信ユニット１６で受信すると、メモリ１７でのこのＩＤコードに該当するログ２１に入室とその日時などを表わす情報を追加する。
【００３８】
部屋４内の入室許可者８がドア６を開けて退室する場合には、端末装置１ａ，１ｂの順でＲＦＩＤ９のＩＤコードが読み取られる。夫々の端末装置１ａ，１ｂは、その通信ユニット１６からネットワーク３を介してセンタ装置２に受信したＩＤカードやこの部屋に割り当てられた部屋コード，端末コードなどを送信する。センタ装置２では、これらＩＤコードや部屋コード，端末コードなどを受信し、これらが同じＩＤコードであること、及びこれら端末コードをもとにそれらの受信順序が端末装置１ａ，１ｂの順序であることなどから、このＩＤコードが記録されているＲＦＩＤ９を所持する入室許可者８がこの部屋４から退出したものと判定し、その判定結果とＩＤコードとをネットワーク３を介して該当する部屋４の端末装置１ａ，１ｂに送信するとともに、この部屋４に対する入室者数を更新する。また、この退出通知により、ドア６は自動的に閉じて施錠される。
【００３９】
また、端末装置１ａ，１では夫々、センタ装置２から判定結果とＩＤコードとを通信ユニット１６から受信すると、制御部１５がメモリ１７でのこのＩＤコードに該当するログ２１に退室日時などの情報を追加する。
【００４０】
以上の処理により、センタ装置２では、部屋４で人の出入りがあっても、また、この出入りが頻繁にあっても、常に現在の各部屋での入室者数を正確に確認することができる。
【００４１】
また、センタ装置２は、ネットワーク３を介して、端末装置１のメモリ１７でのＩＤコードに関するログ２１を読み取ることができ、これにより、センタ装置２では、各入室許可者８の入室が許可されている部屋での出入りの状況や、各部屋毎の出入りの状況などを確認することができる。
【００４２】
次に、図１，図３（ｂ），図４を用い、侵入監視モードについて説明する。
【００４３】
上記の入退出管理モードの所定時間帯が終了すると、センタ装置２は、監視スケジュールをもとに、侵入監視モードの開始を指示する命令をネットワーク３を開して端末装置１に送信する。端末装置１では、通信ユニット１６でこの命令が受信されると、制御部１５がメモリ１７から侵入検知ソフトウェア１９を読み出し、ソフトウェア無線機１３をこの侵入検知ソフトウェア１９をもとに動作させる。これにより、端末装置１は侵入監視モードに設定される。
【００４４】
侵入監視モードが設定されると、制御部１５は、侵入検知ソフトウェア１９により、送受信アンテナ１４の指向性を制御し、これにより、図３（ｂ）に示すように、部屋４内のドア６の近くに設置されている端末装置１ａは、部屋４の全体の領域を侵入監視領域１０ａとして、この侵入監視領域１０ａ内にソフトウェア無線機１３が送受信アンテナ１４からセンサ信号を常時もしくは短い周期で送出することにより、侵入監視を行なう。また、部屋４外のドア６の近くに設置されている端末装置１ｂは、通路５内でのドア６からの所定の広い領域を侵入監視領域１０ｂとして、この侵入監視領域１０ｂ内にソフトウェア無線機１３が送受信アンテナ１４からセンサ信号を常時もしくは短い周期で放出することにより、侵入監視を行なう。
【００４５】
そこで、通路５を進んで来た不審者１２ｂがこの侵入監視領域１０ｂ内に入ると、端末装置１ｂから送出されるセンサ信号がこの不審者１２ｂで反射され、この反射信号が、端末装置１ｂにおいて、送受信アンテナ１４からソフトウェア無線機１３で受信され、その受信結果が制御部１５に供給される。制御部１５は、この受信結果を取得すると、通路の侵入監視領域１０ｂ内に不審者１２ｂが居るものと判定し、これを侵入者として、「侵入あり」を示す情報とその侵入時刻を示す情報などからなる侵入検出情報をログ（侵入監視ログ）２１としてメモリ１７に記憶するとともに、図示しない警報装置を作動させて警報音を発生させる。
【００４６】
また、制御部１５は、かかる侵入検出情報を、部屋４の部屋コードやこの端末装置１ｂの端末コードとともに、通信ユニット１６からネットワーク３を介してセンタ装置２に送信してアラーム通報する。センタ装置２は、アラーム通報を受信すると、警報音を発生するとともに、表示画面で、部屋コードや端末コードをもとに、侵入があった場所を表わしたアラーム表示をする。この場所をマップ上で表わすようにしてもよい。この場合には、部屋４の前の通路５で侵入者があったことが表示されることになる。
【００４７】
また、ドア６がこじ開けられる、部屋４の窓１１が破壊されるなどして部屋４内に不審者１２ａが入り込むと、端末装置１ａから送出されるセンサ信号がこの不審者１２ａで反射され、この反射信号が、端末装置１ａにおいて、送受信アンテナ１４からソフトウェア無線機１３で受信され、その受信結果が制御部１５に供給される。制御部１５は、この受信結果を取得すると、部屋４内に不審者１２ａが居るものと判定し、侵入者として「侵入あり」を示す情報とその侵入時刻を示す情報などからなる侵入検出情報をログ（侵入監視ログ）２１としてメモリ１７に記憶するとともに、図示しない警報装置を作動させて警報音を発生させる。
【００４８】
また、制御部１５は、かかる侵入検出情報を、部屋４の部屋コードやこの端末装置１ａの端末コードとともに、通信ユニット１６からネットワーク３を介してセンタ装置２に送信してアラーム通報する。センタ装置２は、アラーム通報を受信すると、上記と同様、警報音を発生するとともに、表示画面で、部屋コードや端末コードをもとに、侵入があった場所を表わしたアラーム表示をする。この場所をマップ上で表わすようにしてもよい。この場合には、部屋４内に侵入者があったことが表示されることになる。
【００４９】
センタ装置２では、各端末装置１から送られてくる上記のアラーム通報を順次記憶し、例えば、各部屋毎のアラーム履歴として保存し、適宜表示画面に表示させるようにすることができるし、また、各端末装置１からそのメモリ１７に記憶されている侵入監視のログ２１を取得し、同様に、各部屋毎のアラーム履歴として表示するようにすることもできる。
【００５０】
なお、ここでは、端末装置１ａと端末装置１ｂとで入退出管理モードと侵入監視モードとの間の切り替えを同時に行なうものとしたが、これに限らず、状況に応じて端末装置１ａ，１ｂで入退出管理モードと侵入監視モードとの間の切り替えタイミングを異ならせるようにしてもよい。
【００５１】
以上のように、この実施形態では、同じ端末装置１を入退出管理モードと侵入監視モードとに選択的に切り替えることができ、入退出管理と侵入監視とが必要なエリアで必要な機器の台数を減らすことができるし、同時に実行されることが少ないかかる入退出管理機能と侵入監視機能とを同じ端末装置で切り替えて運用できるものであるから、エリアでの設備の規模を縮小して効率のよい入退出管理や侵入監視を行なうことができる。
【００５２】
また、室内とその通路のように、同じ場所内の異なるエリア毎に端末装置を用いる場合には、これら端末装置毎に入退出管理モードと侵入監視モードと切り替えタイミングを異ならせることができるし、また、端末装置によっては、入退出管理モード，侵入監視モードのいずれか一方のみが使用されるようにすることもできるものであって、部屋やエリアなど毎に別々システム運用ができて、システムを柔軟に構築することができる。
【図面の簡単な説明】
【００５３】
【図１】本発明によるセキュリティシステムの一実施形態を概略的に示すシステム構成図である。
【図２】図１に示す端末装置の設置位置の一具体例を示す図である。
【図３】図１に示す実施形態における入退出管理と侵入監視とでの各端末装置が管理，監視する領域を示す図である。
【図４】図１における端末装置の構成の一具体例を示すブロック図である。
【図５】従来のセキュリティシステムの一例を示すシステム構成図である。
【符号の説明】
【００５４】
１，１1〜１3，１ａ，１ｂ  端末装置
２  センタ装置
３  ネットワーク
４  部屋
５  通路
６  ドア
７ａ，７ｂ  入退出管理領域
８  入室許可者
９  ＲＦＩＤ
１０ａ，１０ｂ  侵入管理領域
１１  窓
１２ａ，１２ｂ  侵入者
１３  ソフトウェア無線機
１４  送受信アンテナ
１５  制御部
１６  通信ユニット
１７  メモリ
１８  ＲＦＩＤ通信ソフトウェア
１９  侵入検知ソフトウェア
２０  入室許可ＩＤコードリスト
２１  ログ
【図１】
2009059085.tif 000003
【図２】
2009059085.tif 000004
【図３】
2009059085.tif 000005
【図４】
2009059085.tif 000006
【図５】
2009059085.tif 000007